(57)【要約】【課題】制御部をリモートコントロールして被制御装置を作動させるリモートコントロールシステムに関し、リモートコントロール部のキーボードの多数あるキーの中から押圧すべきキーの選択が難しいことを解消する。【解決手段】キーボード９の有効キーを表示部３のメニュー画面と同一色で色付けし色による視覚的なキー選択を可能にすると共に、リモートコントロール部７と表示部３との階層に差異があることを階層比較回路１３で検出して修正情報を送出し階層の差異を無くす。【選択図】　　　図１
2004080372.tif 000002
【特許請求の範囲】
【請求項１】
予め用意された複数の階層のメニュー情報を制御部の表示部に表示し、前記メニュー情報に従ってリモートコントロール部により被制御装置を作動させるリモートコントロールシステムにおいて、前記リモートコントロール部に単一の機能を有するキーについては一色で２種の機能を有するキーについては二色で自照するキーボードを設け、前記リモートコントロール部で選択された階層データのメニュー情報における有効なキー符号に対応する前記キーボード部のキーを識別可能に夫々色付けするための色付け手段を設け、前記リモートコントロール部と前記制御部との間で前記選定された階層データを伝送するための伝送手段を設け、前記伝送手段によって伝送された前記階層データに基づき前記色付けされた有効キーとそのテキストを識別可能に夫々色付けして前記表示部に前記メニュー情報として表示するための表示手段を設け、前記制御部に前記表示部で表示されている前記メニュー情報の階層データと前記リモートコントロール部で選定された階層データとの一致状態を検出し不一致の場合に修正情報を送出するための階層比較回路を設け、前記リモートコントロール部での有効キーの色付け状態と前記表示部でのメニュー情報の色付け状態を一致させるようにすると共に、不一致の場合に修正情報を送出するようにしたことを特徴とするリモートコントロールシステム。
【請求項２】
予め用意された複数の階層のメニュー情報を制御部の表示部に表示し、前記メニュー情報に従ってリモートコントロール部により被制御装置を作動させるリモートコントロールシステムにおいて、前記リモートコントロール部において選定された階層データのメニュー情報における有効なキー符号を識別可能に夫々色付けするための色付け手段を設け、前記リモートコントロール部と前記制御部との間で前記選択された階層データを伝送するための伝送手段を設け、前記伝送手段によって伝送された階層データに基づき前記色付けされた有効キーとそのテキストを前記メニュー情報として識別可能に夫々色付けして前記表示部に表示するための表示手段を設けて前記リモートコントロール部での有効キーの色付け状態と前記表示部でのメニュー情報の色付け状態を一致させるようにしたことを特徴とするリモートコントロールシステム。
【請求項３】
前記色付け手段は、単一の機能のキーについては一色で、少なくとも２種以上の機能を有するキーについては少なくとも二色以上で自照するキーボードと、前記キーを前記メニュー情報に基づき制御して色付けするための色付け部とからなる請求項２記載のリモートコントロールシステム。
【請求項４】
前記制御部には、前記表示部で表示されている前記メニュー情報の階層データと前記リモートコントロール部で選定された階層データとの一致状態を検出するための階層比較回路を設けて不一致が検出されたことに基づき修正情報を送出するようにした請求項２記載のリモートコントロール。
【発明の詳細な説明】
【０００１】
【発明の属する技術分野】
本発明は、ディスプレイ上にメニュー情報を表示した例えばテレビからなる制御部をリモートコントロールして被制御装置を作動させるためのリモートコントロールシステムに関する。
【０００２】
【従来の技術】
家庭内で用いられている映像機器は、テレビに限らずＤＶＤプレィヤー、ビデオテープレコーダ等が用いられている。これら機器はテレビに接続してリモートコントロールによって操作することが多くなってきた。ところが、これらの操作は全体的に多種多様に亘り極めて複雑であるため、素早い操作ができないことのみならず誤操作の可能性が多かった。
【０００３】
そのために、例えば、特開平５−２５２５６６号公報（第１の従来技術）では、使用者が視覚的に多数のキーからどれを操作すればよいかをわかり易くするため、同色で点灯されるキーをシーケンスに従って点灯パターンを変えるようにした技術が提案されている。
【０００４】
また、例えば、実開平５−５０８９１号公報（第２の従来技術）では、電子機器本体の現在操作可能なモード以外のモードのスイッチ操作をリモートコントロール側で禁止するために、リモートコントロールユニットにおいて機器の現在のモード表示を文字、記号等で行うようにした技術が提案されている。また、このモード以外のキーにカバーをして操作不能にした技術が提案されている。
【０００５】
更に、例えば、特開２０００−３１２３９１号公報（第３の従来例）では、制御装置側の表示装置で表示される多数の操作部品（操作キー）からなる操作画面を双方向リモートコントロール装置のタッチパネル上に現在使用されているものだけ分割して表示する技術が提案されている。この技術によって、使用者はタッチパネル上で分割された操作部品を操作すればよいということになる。
【０００６】
【発明が解決しようとする課題】
前記第１の従来技術では、所定のシーケンスにおいて有効なキーが多数ある場合には、使用者が多数のキーから操作しなければならないものを選ぶことはやはり難しい。従って、素早い操作を確実にすることに困難をともなうという問題点がある。
【０００７】
また、前記第２の従来技術では、有効なキーのみを夫々文字、記号を付して表示するものであるため、その文字、記号を付す大きさに制限のあるリモートコントロールでは不適である。特に、キーの数が多い場合、複数のモードを単一のキーで兼用する場合には、実質的に文字、記号を付すことは不可能である。仮に付したとしても判読が困難である。従って、やはり有効なキーを素早く探し出して正確に操作することに困難をともなうという問題点がある。また、不要なキーを機械的にカバーで覆うことは、操作が面倒であり、しかも構造的にリモートコントロール面上のどの個所にでも設けることがでるものでない。
【０００８】
更に、前記第３の従来例では、制御部で表示されている各階層の操作画面を部分的に分割してリモートコントロール側のタッチパネル上に表示しているため、キーからなるリモートコントロールには適用できない。即ち、表示が形状、配置場所、大きさ等に制限されていないものであるため、操作面で位置が固定されているキーを用いたキーボードには適用できない。従って、安価で操作性のよいキーボードを用いたものには採用できないという問題点がある。
【０００９】
本発明は、上記従来技術の有する課題を解決し、利用者が所謂リモコン操作を素早く、正確にできるリモートコントロールシステムを提供することを目的とする。
【００１０】
【課題を解決するための手段】
上記目的を達成するために、本発明は、予め用意された複数の階層のメニュー情報を制御部の表示部に表示し、前記メニュー情報に従ってリモートコントロール部により被制御装置を作動させるリモートコントロールシステムにおいて、前記リモートコントロール部に単一の機能を有するキーについては一色で２種の機能を有するキーについては二色で自照するキーボードを設け、前記リモートコントロール部で選定された階層データのメニュー情報における有効なキー符号に対応する前記キーボードのキーを識別可能に夫々色付けするための色付け手段を設け、前記リモートコントロール部と前記制御部との間で前記選定された階層データを伝送するための伝送手段を設け、前記伝送手段によって伝送された前記階層データに基づき前記色付けされた有効キーとそのテキストを識別可能に夫々色付けして前記表示部に前記メニュー情報として表示するための表示手段を設け、前記制御部に前記表示部で表示されている前記メニュー情報の階層データと前記リモートコントロール部で選定された階層データとの一致状態を検出し不一致の場合に修正情報を送出するための階層比較回路を設け、前記リモートコントロール部での有効キーの色付け状態と前記表示部でのメニュー情報の色付け状態を一致させるようにすると共に、不一致の場合に修正情報を送出するようにしたリモートコントロールシステムである。
【００１１】
一方、本発明は、予め用意された複数の階層メニュー情報を制御部の表示部に示し、前記メニュー情報に従ってリモートコントロール部により被制御装置を作動させるリモートコントロールシステムにおいて、前記リモートコントロールにおいて選定された階層データのメニュー情報における有効なキー符号を識別可能に夫々色付けするための色付け手段を設け、前記リモートコントロール部と前記制御部との間で前記選択された階層データを伝送するための伝送手段を設け、前記伝送手段によって伝送された階層データに基づき前記色付けされた有効キーとそのテキストを前記メニュー情報として識別可能に夫々色付けして前記表示部に表示するための表示手段を設けて前記リモートコントロール部での有効キーの色付け状態と前記表示部でのメニュー情報の色付け状態を一致させるようにしたリモートコントロールシステムである。
【００１２】
ここで、前記色付け手段は、単一の機能のキーについては一色で、２種以上の機能を有するキーについては二色で自照するキーボードと、前記キーを前記メニュー情報に基づき制御して色付けするための色付け部とからなる。
【００１３】
ここで、前記制御部には、前記表示部で表示されている前記メニュー情報の階層データと前記リモートコントロール部で選定された階層データとの一致状態を検出するための階層比較回路を設けて不一致が検出されたことに基づき修正情報を送出するようにしたものである。
【発明の実施の形態】
以下、図面を用いて本発明の実施の形態について説明する。
【００１４】
図１は、本発明の実施の形態の一例におけるリモートコントロールシステムを示すブロック図である。１は制御部、２は制御部１によって制御されるＤＶＤプレィヤー、ビデヲテープレコーダ等の被制御装置である。制御部１はブラウン管、液晶表示パネル等の表示部３を有するテレビからなる。４は制御部側ＣＰＵ、５は予め被制御装置２を制御する制御データと表示部３に表示するための階層データとが記憶されている制御部側メモリ、６は赤外線を利用した受信部である。
【００１５】
７はリモートコントロール部、８は受信部６と共にデータの伝送手段を構成する送信部である。９はキーボード、１０はリモートコントロール側ＣＰＵ、１１はリモートコントロール側メモリである。リモートコントロール側メモリ１１には階層データが記憶され、キーボード９における機器選定によって所定の階層データが読み出されるようになっている。１２は色付け回路である。キーボード９のキーは単一機能のものは一色で、２種の機能を有するものは二色で自照する構成になっている。このようにして色付け回路１２とキーボード９とにより色付け手段が形成されている。
【００１６】
また、リモートコントロール側メモリ１１から読み出された階層データは送信部８から受信部６へと伝送されるようになっている。制御部側ＣＰＵ４は送られた階層データに基づき制御部側メモリ５からその階層の表示データを読み出し表示部にメニュー情報として表示するものであり、表示部３と共に表示手段を構成している。
【００１７】
表示部３で表示されるメニュー情報の詳細は、階層１では図２、階層２では図３で示すようになっている。ここで階層１は初期設定のメニュー画面であり、図２で示すように有効なキー符号とその設定内容であるテキストは夫々が識別可能に色付けされている。例えば、符号「１」とその設定内容であるテキストは赤色、符号「２」とその設定内容であるテキストは青色、符号「３」とその設定内容であるテキストは黄色、………符号「メニュー」とその設定内容であるテキストは青色というように色付けされている。初期設定が終了すると、メニュー画面は図３で示す次の階層２に移行するようになっている。ここでも同様に、有効なキー符号とその設定内容である文字は夫々が識別可能に色付けされている。例えば、符号「０」〜「９」とその設定内容であるテキストは赤色、符号「メニュー」とその設定内容であるテキストは青色、符号「決定」とその設定内容であるテキストは黄色というように色付けされている。
【００１８】
キーボード９での有効キーの色付け状態の詳細は、階層１では図２、階層２では図３で示すようになっている。しかも前述したように符号「０」〜「９」のテンキー９ａは階層１では異なる色に対応して色付けされ、階層２では全て赤色で色付けされるようになっている。例えば、前述した階層１の階層データの場合には、リモートコントロール側ＣＰＵ１０と色付け部１２とによって、テンキー９ａは符号「１」が赤色、符号「２」が青色、符号「３」が黄色………というように有効なキーとして自照して色付けされるようになっている。そして、符号「メニュー」のキー９ｂは青色というように有効なキーとして自照して色付けされるようになっている。一方、前述した階層２の階層データの場合には、同じくリモートコントロール側ＣＰＵ１０と色付け回路１２とによって、テンキー９ａは符号「０」〜「９」が全て赤色というように有効なキーとして自照して色付けされるようになっている。そして、符号「メニュー」のキー９ｂは青色、符号「決定」のキー９ｃは黄色というように有効なキーが自照して色付けされるようになっている。これらの有効キーとしての自照による色付け状態は、前述した表示部３上での符号、色付けと同一になっている。
【００１９】
９ｄはキーボード９に設けられた被制御装置２の機種を選定するための機種選定用キーであり、例えば、ＤＶＤプレィヤーが選定されるとリモートコントロール側メモリ１１からは、まずＤＶＤプレィヤーの初期設定である階層１の階層データが読み出されるようになっている。９ｅは階層修正用キーであり、例えば階層２から階層１へというように戻る方向に向けて階層の修正がなされるようになっている。
【００２０】
キーボード９で有効キーが押圧されると、リモートコントロール側ＣＰＵ１０はそのデータの頭に現在の階層データを付して送信部８から制御部１へと伝送する。１３は制御部３に設けられた階層データ比較回路であり、リモートコントロール部７から伝送された階層データと表示部３で現在表示されている階層データとを比較するためのものである。階層比較回路１３から階層一致の検出結果が得られると制御部側ＣＰＵ４はリモートコントロール部７から伝送された押圧キーのデータを実行に移すようになっている。一方、階層比較回路１３で一致が得られないときは、リモートコントロール側ＣＰＵ１０は送られたデータを無効とする同時に、修正情報を得て表示部３に階層にずれがあるで修正を必要とする旨表示するようになっている。
【００２１】
次に、本発明の実施の形態の一例による動作について第４図のフローチャートを参照して説明する。
【００２２】
まず、使用者はリモートコントロール部７の機種選定キー９ｄにより被制御装置２から、例えばＤＶＤプレィヤーを選定する。この操作によってリモートコントロール側ＣＰＵ１０はメモリ１１からＤＶＤプレィヤーの階層１のデータを読み出し、色付け回路１２によりキーボード９が階層１に対応した有効キーで色付けされる。同時に、制御部１は、階層１の階層データを受信して制御部側ＣＰＵ４がメモリ５から階層１である初期設定の表示用データを読み出し、表示部３に階層１をメニュー画面として表示する。このようにして、リモートコントロール側と制御部１テレビとが開始状態となる。
【００２３】
使用者は、表示部３の初期設定のメニュー画面を見て次の操作を決め、ステップＳ１で示すように手元のキーボード９の色付けされた有効キーを押圧する。押圧されたキーはステップＳ２で示すように点滅して押圧されたことを示すパターンとなる。このキーに対応したデータはリモートコントロール側ＣＰＵ１０より送受信部８，６を介してテレビ側に伝送され、ステップ３において制御部側ＣＰＵ４により所謂リモコンの入力があったこととして検出される。このデータの頭には階層を示す階層データが付されているので、ステップ４において階層比較回路１３によりその比較がとられる。その結果、一致であるとステップ５においてＣＰＵ４はリモコンからのデータを有効な入力として実行に移す。この実行により被制御装置２が制御部１の制御データにより制御されて動作する。
【００２４】
ステップＳ４において、階層比較回路１３による比較結果が不一致の場合は、ステップ６で示すように修正情報を送出し、制御部側ＣＰＵ４が伝送されたデータを無視して表示部３に階層の設定にずれがあり修正の必要がある旨の表示を行う。そして、使用者は、ステップＳ７で示すように、その旨の表示によって手元のリモートコントロール部７の修正用キー９ｅを操作し階層の修正を行う。その結果、ステップＳ８で示すようにキーボード９上の有効キーの表示が修正後のものとなり、修正が完了する。
【００２５】
本発明の実施の態様の一例によれば、リモートコントロール部７のキーボード９と制御部１のテレビの表示部３とが同一色で色付けされているので、使用者は表示部３の符号、説明内容を見てこれと同一色のキーを押圧することにより操作を行う。この操作は、視覚的なことに基づくため素早く確実になされる。
【００２６】
また、リモートコントロール部７と制御部１との間のデータの伝送は、赤外線を利用しているため位置関係などにより確実になされないことがある。そのため、例えば、リモートコントロール部７は階層２であるのに制御部１ではまだ階層１のままというように階層に差異が生じてしまう。しかし、この差異は制御部１において検出され、その旨表示部３で表示するため使用者が直ちに差異を認識し修正用キー１０ｅを操作して一致させることができる。
【００２７】
本発明は、その実施の態様の一例においては、両者間の階層の差異は表示部３でその旨表示して使用者に伝えて修正するようにしたが、送受信部６、８を双方向性のものとし、階層比較回路で不一致が判別された結果に基づきに制御部１よりリモートコンロロール部７に制御部１の階層に修正するための修正情報を伝送して修正をさせるようにしてもよい。
【００２８】
本発明は、その実施の態様の一例においては、階層間に差異が生じた場合はテレビ側の制御部１における階層にリモートコントロール部７の階層を合わせるように修正するようにしたが、必要に応じてリモートコントロール部７の階層に制御部１の階層を合わせるようにしてもよい。
【００２９】
【発明の効果】
上述したように、本発明の請求項１によれば、予め用意された複数の階層のメニュー情報を制御部の表示部に表示し、メニュー情報に従ってリモートコントロール部により被制御装置を作動させるリモートコントロールにおいて、リモートコントロール部のキーボードと制御部のテレビの表示部とが同一色で色付けされているので、使用者は表示部の符号、テキストを見て同一色のキーを押圧するという視覚的なキーの選択ができるため、素早く確実なリモートコントロール操作ができる効果がある。そして、２種の機能を有するキーにおいては二色で自照して色付けされるようにしたため、兼用のキーでも視覚的なキーの選択ができるという効果がある。ま更に、リモートコントロール部と制御部との間で階層に差異が生じた場合は、それを検出して修正情報を送出するようにしたため、使用者は階層に差異があるままで操作することがなく、常時正確に操作ができる効果がある。特に、キーボード上のキーの数が多く、しかも階層別に操作しなければならないような極めて複雑なキー操作のリモートコントロールシステムにおいては、その効果は著しく大い。
【００３０】
また、本発明の請求項２によれば、予め用意された複数の階層のメニュー情報を制御部の表示部に表示し、メニュー情報にしたが手リモートコントロール部により被制御装置を作動させるリモートコントロール部のキーボードと制御部のテレビの表示部とが同一色で色付けされているので、使用者は表示部の符号、テキストを見て同一色のキーを押圧するという視覚的なキーの選択ができるため、素早く確実なリモートコントロール操作ができるという効果がある。
【００３１】
更に、本発明の請求項３によれば、リモートコントロール部と制御部の表示部との間で階層に差異が生じた場合は、それを検出して修正情報を送出するようにしたため、使用者は階層に差異のある状態で操作をすることが無く、常時正しい操作ができるという効果がある。
【図面の簡単な説明】
【図１】本発明の実施の形態の一例を示すブロック構成図である。
【図２】本発明の実施の形態の一例における動作上の階層１の状態を示す説明
図である。
【図３】本発明の実施の形態の一例における動作上の階層２の状態を示す説明
図である。
【図４】本発明の実施の形態の一例における動作を示すフローチャートである。
【符号の説明】
１　　　　制御部
２　　　　被制御部
３　　　　表示部
４　　　　制御部側ＣＰＵ
５　　　　制御部側メモリ
６　　　　受信部
７　　　　リモートコントロール部
８　　　　送信部
９　　　　キーボード
９ａ　　　　　　　テンキー
９ｄ　　　　　　　機種選定用キー
９ｅ　　　　　　　修正用キー
１０　　　リモートコントロール部側ＣＰＵ
１１　　　リモートコントロール部側メモリ
１２　　　色付け回路
１３　　　階層比較回路
【図１】
2004080372.tif 000003
【図２】
2004080372.tif 000004
【図３】
2004080372.tif 000005
【図４】
2004080372.tif 000006